(57)【特許請求の範囲】
【請求項１】
グリップを握るとき、グリップと手の間に介在してグリップから手への汚染を防ぐハンドカバーにおいて、
手の内側全体を覆う本体部（１１）と、
この本体部（１１）の手に対面する側の先端部に設けられて指先が差し込み可能になっている袋部（１５）とを備え、
この袋部（１５）は、指先の差し込み方向に向かって、指先より大きく開口するとともに、
本体部（１１）は手のひらに重なる手のひら部（１２）を備え、
手のひら部（１２）は、手に対して固定されず、ハンドカバーを手から取り外すとき、手のひらを下に向けると、手首側が垂れ下がり、
手を下に向けると自然落下して手から取り外されるようになっていることを特徴とするハンドカバー。
【請求項２】
袋部（１５）は、複数の指を差し込む共用袋部を備え、この共用袋部には、親指と小指を除く３指が指先から第２関節近傍まで収納され、内部で各指が動き得るようになっていることを特徴とする請求項１のハンドカバー。
【請求項３】
袋部（１５）は、共用袋部として親指以外の４指（４Ｆ）の指先を差し込む４指袋部（１４）と、親指（３）を差し込む親指袋部（１３）を備えることを特徴とする請求項２のハンドカバー。  
【請求項４】
親指袋部（１３）は４指袋部（１４）を挟んで左右一対で設けられていることを特徴とする請求項３のハンドカバー。
【請求項５】
左右の親指袋部（１３）と４指袋部（１４）との間にそれぞれ破断容易部（１７）が設けられていることを特徴とする請求項３又は４のハンドカバー。
【請求項６】
左右の親指袋部（１３）は一方を使用し、他方を不使用にするとともに、使用する親指袋部（１３）の破断容易部（１７）は破断されて分離部（１８）とされ、他方の親指袋部（１３）の破断容易部（１７）は破断されずそのままとされることを特徴とする請求項５のハンドカバー。
【請求項７】
親指（３）が差し込まれた親指袋部（１３）と４指袋部（１４）との間に分離部（１８）が形成され、親指袋部（１３）が４指袋部（１４）と独立して動くことを可能にしていることを特徴とする請求項３又は４のハンドカバー。
【発明の詳細な説明】
【技術分野】
【０００１】
この発明は、例えば電車の吊り輪などからなるグリップを把持するときに、予め手の内側に装着されてグリップと手の間に介在し、手の内側でグリップを覆うことにより、グリップに手を直接接触させず、手が汚染等されることを防止するハンドカバーに関する。
なお、グリップは、吊り輪や階段の手すりなどを含む手で握る対象となる各種部材の総称である。他の一例として食事の際に用いる、トング、ナイフ、フォーク、スプーン、レードル（おたま）、さらにはサーバーなどの各種食器や道具類などもある。以下の説明は吊り輪を例示する。
また、ハンドカバーを構成する本体部(後述)は表裏をなす２面を備え、そのうちのグリップへ重ねる面を表面、手のひらが合わせられる面を裏面ということにする。
さらに、ハンドカバーについて前方とは、装着時における手首と反対側をいい、後方とはその反対側をいう。
【背景技術】
【０００２】
このようなグリップ時に手を簡易に覆うようにしたハンドカバーは公知である（特許文献１乃至特許文献４参照）。
まず、特許文献１のハンドカバーを図１１及び図１２により説明する。図１１に示すように、このハンドカバー１００は手のひらに納まるサイズで略方形のシート状をなし、手１へ取付けられて使用される。手すり等のグリップ９（図１２参照）を把持するとき、手１とグリップ９の間に介在し、手のひらをグリップ９へ接触させず、グリップ９の汚れが手１へ付着しないように手のひらを保護する。
【０００３】
手１は手のひら２（図４のＢ参照）と、その側部から斜めに側方へ延出する親指３（開いた状態）と、手のひらの上部（指の付け根）から前方へ延出する４指４Ｆを有する。４指４Ｆは、人差し指４、中指５、薬指６及び小指７からなり、これらは親指３以外の指である。手のひらのうち４指４Ｆの付け根と反対側は手首８に連続する（図１参照）。
【０００４】
親指３と人差し指４の付け根側は股部３ｃになっている。股部３ｃは図示の親指３が開いた状態でＶ字状をなす。
なお、親指３は図示の開いた状態から握り位置へ回動させることができる。
親指３の握り位置は、グリップ時に中指５の付け根側となる手のひら２の上へ間隔を持って重なるように親指３を回動させたときの位置である（図４のＢ参照）。
グリップ時には、握り位置の親指３と、手のひら２及び４指４Ｆとの間にグリップ９が挟まれる。
【０００５】
ハンドカバー１００を手１へ装着する手段はリング１１０である。図１１に示すように、ハンドカバー１００の中指５及び薬指６（以下、中指等とする）が重なる略中央部分には指輪様をなすリング１１０が予め縫合されている。このリング１１０に中指等を差し込むことにより、ハンドカバー１００が手１へ取付けられる。このハンドカバー１００を装着した状態でグリップ９を握ると、図１２に示すように、ハンドカバー１００がグリップ９の外周面に巻回してグリップを覆い、グリップ９と手の間に介在する。
【０００６】
特許文献２のハンドカバーは、手の内側（手のひら側）全体を覆う本体部を備え、本体部は手のひらを覆う手のひら部と、これから袋状に突出して、親指を収容する親指袋部と、親指以外の４指を収容する４指袋部を備え、親指を親指袋部へ差し込み、４指を４指袋部へ差し込むことにより、各指に係止されて手に取り付けられる。
なお、手のひら部の手首側端部は、本体部と一体に設けられているバンドを手首へ巻き付けることにより固定されている。
【０００７】
特許文献３のハンドカバーは、手の指スリッパに関するものであり、手袋のうち手のひら部分及び指先部分を残し、手のひら部分の反対側を切り取った形状をなし、５指全てもしくは親指と人差し指及び中指の３指の指先をそれぞれ各別に差し込む袋部を備えている。
また脱着は、スリッパを履く要領で簡単に手へ装着できかつ脱却できるようになっている。
【０００８】
特許文献４のハンドカバーは、食品を握るためのフィンガーグローブに関するものであり、長方形の部材の長さ方向両端を折り返して、対向して開口する一対のポケット部を形成し、一方のポケット部へ親指を差し込み、他方のポケット部へ親指以外の４指を差し込むようになっている。
【先行技術文献】
【特許文献】
【０００９】
【特許文献１】特開２０１８−１５０６６２号公報
【特許文献２】特開２００９−０４６７９１号公報
【特許文献３】実開昭６３−１１５０１７号公報
【特許文献４】特開平６−２０５７２３号公報
【発明の概要】
【発明が解決しようとする課題】
【００１０】
ハンドカバーは、グリップを握るとき、手をグリップと接触させないようにするためのものである。ところが、グリップと接触する可能性がある部分は、手のひらだけでなく各指も可能性がある。したがって、グリップ時には手のひらのみならず指もグリップへ接触しないようにする必要がある。
しかし、上記特許文献１のハンドカバー１００は、手のひらのみを覆うものであり、指がグリップと接触する可能性があるから、より完全な汚染防止において不十分である。
【００１１】
さらに、ハンドカバーは、グリップを握るときだけ手へ装着することが求められる部材である。例えば、電車やバス等の吊り輪を握るとき、乗車時だけ素早く手に装着してグリップを握り、グリップに付着した細菌等の汚れが手のひらへ付着することを回避する。逆に降車時には汚れた面へ触れずに素早く取り外して廃棄することにより、グリップを覆っていたハンドカバーから手への汚染を防止することが必要になる。
【００１２】
しかし、上記ハンドカバー１００の手に対する装着は、リング１１０における指の太さ程度の比較的小さな開口へ中指等を差し込むことによるため、装着に比較的手間を要し、さらには取り外しにも手間を要し、迅速な脱着を実現できない。しかも、取り外すときには、グリップの汚れが付着した面に触れることによる汚染を避けるため、グリップを覆っていた面（表面）に接触しないようにして中指等をリング１１０から抜かなければならないので、ハンドカバーの表面に手を触れないよう慎重に取り外すことが要求された。
【００１３】
そのうえ、ハンドカバー１００はその略中央部にて指輪のような比較的細い幅の小さなリング１１０による１点だけで手へ装着されているので、手に対する装着状態が不安定になり、グリップを握る直前において、先端部等が折れ曲がってしまったり、横ずれして一部が手へ重ならなくなる等の不都合が生じ、迅速かつ正確に把持できないおそれがあった。
【００１４】
一方、手全体を覆うものとしては手袋の使用も考えられる。しかし、手袋は上記ハンドカバー１００以上に脱着に手間を要するとともに、例えば、右手に嵌めた手袋を、左手で脱がそうとするときには、手袋を持つ左手が手袋の表面と接触し易くなり、汚染される可能性がある。したがって、手袋は脱着性が悪く、かつ取り外し時における手袋による汚染を防止しにくい。
【００１５】
また、特許文献２のハンドカバーは、手全体を覆うことができるものの、バンドにより手へ固定しなければならず、装着に手間がかかるとともに、取り外すときも、バンドを手首から外す作業が必要になる。したがって、装着及び取り外し双方に手間がかかった。
また、手首側をバンドで固定していることより、当然ながら、装着状態で手のひらを下に向けるだけで手のひら部の一部を垂れ下がり部とし、これを利用してハンドカバーの取り外しや自然落下促進を図る思想はない。
【００１６】
特許文献３のハンドカバーは、指先を差し込む袋部を備えているものの、図面より判断するとこの袋部は短く、おそらく各指の第１関節程度までを差し込むものである。したがって極めて脱落し易く、常に手を横向き又は上向きにしていなければ脱落を防げず、手（指）の開き具合で脱落をコントロールするようなことはできない。また、名称がスリッパであることから、一般的には手のひら部に相当する部分は装着時や使用時の便利性を考慮してある程度の剛性があり、変形しにくくなっているべきものと考えられる。したがって、手のひら部の一部をハンドカバーの自然落下促進に利用する思想を示唆するものはない。
【００１７】
特許文献４のハンドカバーは、一対のポケット部が対向して設けられ、親指と４指とを反対方向へ開いて中央の開口部から各ポケット部へ差し込むので、予めハンドカバーの中央部を山形に折り曲げて装着しなければならず、装着を迅速にできない。
また、取り外すときは、手のひら部が手のひらに重なった状態でくっついているので、手のひら部は垂れ下がりにくくなっており、垂れ下がり部の形成を示唆するものはない。
【課題を解決するための手段】
【００１８】
上記課題を解決するため本願発明に係るハンドカバー（１０）は、グリップを握るとき、グリップと手の間に介在してグリップから手への汚染を防ぐハンドカバーにおいて、
手の内側全体を覆う本体部（１１）と、
この本体部（１１）の手に対面する側の先端部に設けられて指先が差し込み可能になっている袋部（１５）とを備え、
この袋部（１５）は、指先の差し込み方向に向かって、指先より大きく開口するとともに、
本体部（１１）は手のひらに重なる手のひら部（１２）を備え、
手のひら部（１２）は、手に対して固定されず、ハンドカバーを手から取り外すとき、手のひらを下に向けると、手首側が垂れ下がり、手を下に向けると自然落下して手から取り外されるようになっていることを特徴とする。
【００１９】
このように、ハンドカバーを手に装着する手段として袋部を設けたので、袋部に指先を差し込むだけで、ハンドカバーを手へ装着できる。しかも、袋部は指先の差し込み方向に向かって指先より大きく開口するので、指先をスムーズに差し込むことができる。したがって、ハンドカバーを手へ迅速かつ簡単に装着できる。
【００２０】
袋部は、内部へ入った指先に係止されて指先に支持される。このため、ハンドカバーは袋部を介して指先に支持された状態で手へ安定して装着され、グリップを握るときは、把持に先立って先端部が折れ曲がってしまう等の不都合を生じない。
【００２１】
また、グリップ時にはハンドカバーがグリップの周囲を覆い、かつ本体部が手の内側全体を覆うため、手のひらのみならず指を含めた手の内側全体をグリップへ触れさせずにグリップを握ることができる。
【００２２】
グリップの握りを解いてハンドカバーを手から取り外すときは、指先を袋部から速やかに抜き出すだけで迅速かつ容易に取り外し、迅速に廃棄できる。
しかも、手を横にして手のひらを下に向けると、手のひら部は手に固定されていないのでその一部が手首側から垂れ下がって垂れ下がり部をなす。そこで、この垂れ下がり部の手のひら側の面を摘んで垂れ下がり部を指先側へ引っ張ると、ハンドカバーが手から取り外される。
【００２３】
このとき、垂れ下がり部の手のひら側を摘めば汚染された本体部の表面へ触れずに取り外すことができる。
また、垂れ下がり部を持たなくても、手を下に向けると、各袋部が各指から抜け出し、ハンドカバーは手から脱落して自然落下し、手から取り外される。
このとき、垂れ下がり部は、ハンドカバーに対して脱落する方向へ力を及ぼすので、ハンドカバーの脱落を促進し、確実に脱落させる。
【発明の効果】
【００２４】
ハンドカバーは、指先を差し込む方向へ向かって指先より大きく開口している開口部を有する袋部を備えるので、この袋部へ指先をスムーズに差し込むことができ、袋部を指先に係止させることができる。これにより、ハンドカバーを容易かつ迅速に手へ装着できる。
また、袋部が指先に係止されることにより、ハンドカバーの装着は安定したものになる。このため、グリップを握り、ハンドカバーで迅速かつ正確にグリップを覆うことができる。
【００２５】
さらに、本体部は手の内側全体を覆うので、グリップ時には、本体部により手のひらのみならず指も含む手の内側全体をグリップへ接触させないようにでき、グリップから手への汚染をより完全に防止できる。
【００２６】
グリップの握りを解いてハンドカバーを手から取り外すときは、指先を袋部から速やかに抜き出すことができるため、ハンドカバーを容易かつ迅速に取り外しできる。
また、汚染された本体部の表面へ手を触れずに取り外すことができるので、より確実な汚染防止を実現できる。
【００２７】
しかも、手を横にして手のひらを下に向けると、手のひら部の一部が手首側から垂れ下がって垂れ下がり部をなすので、この部分の手のひら側を摘んで垂れ下がり部を指先側へ引っ張ることにより、ハンドカバーを手から容易かつ迅速に取り外すことができる。
このとき、垂れ下がり部の手のひら側を摘むことにより、汚染された本体部の表面へ触れずに作業できるので、汚染を避けてハンドカバーを安全に取り外すことができる。
そのうえ、垂れ下がり部は摘み易くなっているので、取り外し作業が容易になる。
【００２８】
また、垂れ下がり部を持たなくても、手の全体を下に向けると、各袋部が各指から抜け出すので、ハンドカバーを手から脱落して自然落下させ、手から取り外すことができる。
このとき、垂れ下がり部は、ハンドカバーに対して脱落する方向に力が働くので、ハンドカバーの脱落を促進することができる。
【図面の簡単な説明】
【００２９】
【図１】第１実施例(図１〜７)におけるハンドカバー（左手装着状態）の平面図
【図２】上記ハンドカバーの平面図
【図３】図２の３−３線に沿う断面図
【図４】左手でグリップを握った状態を示す図
【図５】図４の５−５線に沿う断面図
【図６】製造工程を示す図
【図７】取り外し手順を示す図
【図８】第２実施例のハンドカバーの平面図
【図９】第３実施例のハンドカバーの平面図
【図１０】第４実施例及び第５実施例に係るハンドカバーの平面図
【図１１】特許文献１におけるハンドカバーの手に装着する状態を示す図
【図１２】上記ハンドカバーのグリップ状態を示す断面図
【発明を実施するための形態】
【００３０】
以下、図に基づいて実施の形態を説明する。まず、図１〜７により第１実施例を説明する。
図１は、手１に装着した状態におけるハンドカバー１０の平面図である。なお、図示は左手で使用する状態を示すが、このハンドカバー１０は左手及び右手共通である。右手については説明を省略するが、左手と対称にして使用できる。また、一回限りの使用で廃棄する使い捨て用として比較的薄くて軽くかつ自重で曲がり易い素材から形成されている。
【００３１】
図１に示すように、ハンドカバー１０は、手１への装着時に、手のひら２側となる手の内側全体を覆う程度のサイズを有するシート状の本体部１１と、その上面（裏面上）先端側に設けられた袋部１５とを有する。袋部１５は、指を抜き差しできる袋状の部分であり、親指３が差し込み可能な親指袋部１３と、４指４Ｆの先端部が差し込み可能な４指袋部１４を備える。
【００３２】
本体部１１は手のひら２に重なってこれを覆う手のひら部１２を備える。
ハンドカバー１０を手１に装着したとき、手のひら部１２の周囲部分のうち一部は、各指の付け根に接し、他の一部は手首に接する。また、手１に対して固定されない。
【００３３】
本体部１１のうち少なくとも手のひら部１２は薄くて折れ曲がりやすい素材からなる。なお本例では、本体部１１と手のひら部１２は同じ素材であり、かつハンドカバー１０全体が本体部１１と同じ素材からなり、薄く、軽量でかつ安価な使い捨て用に適したものになっている。
【００３４】
ハンドカバー１０は、親指３を親指袋部１３へ差し込み、４指４Ｆを４指袋部１４へ差し込むことにより、これらの袋部１５が各指の指先に係止するだけで手１に装着され、これら袋部１５だけで手１へ取付けられている。手のひら部１２は、手のひら２や手首８側すなわち手１には固定されていない。
【００３５】
手１に装着されたハンドカバー１０は、手１を横にして手のひら２を下へ向けた状態（図７のＡに示す状態）にすると、手のひら部１２の手首８側が手１から離れて垂れ下がり、垂れ下がり部１２ａ（図７のＡ、Ｄ参照）になる。
【００３６】
袋部１５は、本体部１１の先端部上へ重なる重合部１５ａにより、本体部１１との間に形成される袋状の部分であり、指１本だけを収容する単独指用と、複数の指をまとめて収容する複数指共用のもの（共用袋部）とがある。親指袋部１３は前者である。４指袋部１４は後者であり、共用袋部の一例である。
【００３７】
親指袋部１３と４指袋部１４は、手のひら部１２の周囲から前方又は斜め前方へ突出して、例えば、一体に形成され、それぞれは袋空間を備えている。
袋部１５の袋空間は後方（手首８側、図示では下方）へ向かって開放されている。１３ａ及び１４ａはそれぞれの開放端部である。すなわち親指袋部１３と４指袋部１４は、開放端部１３ａ及び１４ａの位置で開口し、開放端部１３ａ及び１４ａは開口縁部でもある。
【００３８】
開放端部１４ａは開放端部１３ａよりも先端側へ入り込んで形成され、手１にハンドカバー１０を装着したとき、４指４Ｆの各第２関節から各指の付け根側を手１の甲を開放端部１４ａより後方（手首８側）へ露出させ、ハンドカバー１０の折り曲げや脱着を容易にするようになっている。
【００３９】
４指袋部１４内へ差し込まれる４指４Ｆのうち、人差し指４、中指５及び薬指６がそれぞれ第２関節近傍まで差し込まれている。なお、図１中に、各指の第１関節を各指の符号にａを付し（例えば、人差し指の第１関節４ａ）、第２関節を各指の符号にｂを付し（例えば、人差し指の第２関節４ｂ）て示す。
小指７は差し込まれる部分が全体ではなく一部（幅方向の略半分程度）であるが、第２関節を含むほぼ全長が入っている。小指７については第２関節近傍まで完全に差し込むか否かは自由である。
【００４０】
４指袋部１４内へ差し込まれた４指４Ｆの各指先は、指袋部１４内にて、差し込み方向（前後方向、図の上下方向）及びこれと直交する２方向、すなわち上下方向（図の紙面に直交方向）、横幅方向（図の左右方向）のいずれにも比較的自由に動き得る遊嵌状態になっている。特に、各指の相互間隔を大きくしたり小さくするように動かすことができ、相互間隔を大きくするよう開くと、各指と４指袋部１４との摩擦が大きくなり、４指袋部１４が自然落下で各指の指先から脱落しにくくなる。
【００４１】
４指袋部１４内へ差し込まれた４指４Ｆの長さは、４指袋部１４内で比較的自由に動き得る状態でありながらも、４指袋部１４を脱落させずに安定して係止するに十分な長さであり、指先部の比較的長い差し込み長さ、すなわち、第２関節近傍までの長さとなっている。
但し、比較的長い差し込み長さは、４指４Ｆのうち小指を除く３指の少なくとも１指について設定すればよい。
【００４２】
差し込み長さは第２関節近傍までの長さの範囲で任意に設定できる。
第２関節近傍とは、第１関節と第２関節との間の部分の中間部よりも第２関節に近い位置、又は第２関節の上、さらには第２関節を越えて指の付け根側まで若干延びた位置をいう。
【００４３】
親指袋部１３における親指３の差し込み長さは、爪先から第１関節まで程度の比較的短いものであるが、比較的小さな親指袋部１３の係止に十分となる。
また、親指袋部１３は本体部１１の側部に設けられ、４指袋部１４よりは後方に位置するが、手のひら部１２より先方側へ突出する端部に設けられるので、この位置も本体部の先端部ということにする。
【００４４】
なお本例では、親指袋部１３が４指袋部１４を挟んで手のひら部１２の左右に対称で一対設けられ、またハンドカバー１０も中心線ＣＬを挟んで左右対称に設けられている。
これにより、ハンドカバー１０は左手又は右手の共用を可能にしている。図示のものは左手用としての使用例である。左手用の場合は左の親指袋部１３を不使用とし、右の親指袋部１３を使用する。右手用の場合は逆になる。
【００４５】
左右の親指袋部１３と４指袋部１４との間には破断容易部１７が形成されている。但し、この例は左手用のため、使用しない左側の親指袋部１３近傍にある破断容易部１７のままであり、親指袋部１３と４指袋部１４が連続している（丸囲み拡大部Ｌ参照）。
一方、使用する右側の親指袋部１３近傍は、破断容易部１７を破断してスリット状の分離部１８になっている（丸囲み拡大部Ｒ参照）。
親指袋部１３が分離部１８で４指袋部１４と連続しないことにより、グリップ時において、親指袋部１３の４指袋部１４に対する動きを異ならせ、親指袋部１３を４指袋部１４に対して独立させて動かしてグリップを容易にすることができる。
【００４６】
破断容易部１７は、この部分で親指袋部１３と４指袋部１４との境界部を容易に分断できるようにしたものである。破断容易部１７とは、シート状などをなして連続する部分の一部を破断容易にする構造が設けられている部分である。このような構造として、ミシン目などで破断を容易にするものがある。この例もミシン目で構成されている。
ミシン目で形成された分離線の両側を持って反対側へ引っ張れば、ミシン目による分離線部分は、隣り合うミシン目間の連結部が容易に破断されて、分離線に沿う１本のスリット状をなす分離部１８になる。
【００４７】
また、使用しない左側の親指袋部１３は、この部分の破断容易部１７を破断せずそのままにすることで４指袋部１４と連続した状態を維持させる。これにより、使用しない左側の親指袋部１３がぶらぶらしたり、本体部１１から勝手に折れ曲がったりすることで、グリップの握りに際して邪魔になるような事態を避けることができる。
【００４８】
一方、ハンドカバー１０を右手用にする場合は、左側の破断容易部１７を破断して分離部１８とし、左側の親指袋部１３に左側の親指３を差し込んで使用可能にする。右側の破断容易部１７はそのままとし、右側の親指袋部１３を４指袋部１４と連続させ、不使用時の不用意な変形を防ぐ。
このようにすることで、共通のハンドカバー１０を、左右の手で快適に共用できる。
【００４９】
但し、ミシン目に代えて複数の長いスリットを一直線上へ断続的に設けたものや、破断容易部１７の先端部となる位置に、Ｖ字形などの切り込みを入れて切り離し易くしたものでもよい。さらには、重合部１５ａ側だけを分離部１８のように予めカットしたハーフカット構造でもよい。また、重合部１５ａ側だけでなく、本体部１１側まで浅い切り込みを入れたものでもよい。逆に、重合部１５ａ側だけに浅い切り込みを入れたものでもよい。
【００５０】
ここで、本体部１１と重合部１５ａの構成を図６のＡにより説明する。
図６は１枚の平板なシート状素材から立体的なハンドカバー１０を形成するための製造工程を示し、図６のＡは当初の原材料であるシート状素材１０ａを示す。このシート状素材１０ａは、展開形状にした本体部１１と重合部１５ａとを型取ることができる大きさの平面状部材である。
【００５１】
重合部１５ａは反転した状態で本体部１１の先端に折り線１０ｂにて直列に接続されている。また、本体部１１と重合部１５ａは中心線ＣＬに対してそれぞれ左右対称に設けられる。折り線１０ｂは中心線ＣＬに直交する直線状をなす。
但し、本体部１１と重合部１５ａは説明のために記載した仮想線であり、実際のシート状素材１０ａには記載されない（図６のＢ〜Ｄも同様）。
【００５２】
シート状素材１０ａは、厚さが０．１ｍｍ〜数ｍｍ程度のシート状をなす比較的柔軟な部材である。不織布や織布等の通気性のある布や、ポリエチレンやポリ塩化ビニールなどの適宜な合成樹脂製のフィルム等よりなり、グリップ９（図４）に巻き付けることができる程度の柔軟性を有すれば、種々な材料が利用可能である。なお、フィルムは非通気性が好ましい。
【００５３】
本体部１１は、手１を重ねることができる大きさ、すなわち手１の内側全体を覆う大きさになっている。より詳細に説明すると、本体部１１は、手１（親指が開いた状態）よりも若干大きく形成され、手のひら２を覆う手のひら部１２と、これから斜めに突出して開いた状態の親指３を覆う親指部１３ｂと、手のひら部１２から上方へ突出する親指以外の４指４Ｆを覆う４指部１４ｂとを備える。親指部１３ｂは中心線ＣＬを挟んで左右に対称で一対設けられる。
【００５４】
図示された重合部１５ａは、反転した状態であり、折り線１０ｂで本体部１１の上へ折り返すと、本体部１１の親指部１３ｂ及び４指部１４ｂの上に重なる、重合部１５ａ側の親指部１３ｃ及び４指部１４ｃを有する。なお重合部１５ａは、展開した状態では本体部１１側の重合部１５ａが重なる部分より大きめに形成され、本体部１１との間に空間を形成するように重合部１５ａを立体的に曲げた状態で本体部１１上へ重ねたとき、平面視で左右方向が本体部１１側とほぼ一致して重なるような大きさになっている。
【００５５】
図２は、Ａにハンドカバー１０単独の平面図を示し、図中の丸囲み部に２−２線に沿う拡大断面（略図）を併せて示す。図３は図２の３−３線に沿う断面図である。
これらの図に示すように、重合部１５ａは本体部１１の上に重なった状態で周囲を結合される。この結合方法は、圧着、溶着、接着、縫合等種々可能である。本例は圧着であり、符号１６は圧着による結合部を示す。
【００５６】
重合部１５ａの４指部１４ｃは、左右と先端を結合部１６で本体部１１の４指部１４ｂの左右と先端へ圧着される。なお先端側は、重合部１５ａと本体部１１が折り線１０ｂで連続しているので、この部分の圧着を省略してもよい。
【００５７】
図中の丸囲み部に示すように、重合部１５ａの４指部１４ｃと本体部１１の４指部１４ｂとの圧着により、両部材間に袋空間１４ｄが形成される。この袋空間１４ｄは開放端部１４ａにて後方側へ開放され、４指４Ｆの各先端を揃えて容易に差し込み可能な程度の大きさに設定されている。これにより、重合部１５ａの４指部１４ｃと本体部１１の４指部１４ｂとで、４指袋部１４が形成されている。
【００５８】
重合部１５ａにおける左右の各親指部１３ｃは、それぞれ左右及び先端で本体部１１の対応する親指部１３ｂの左右及び先端と結合部１６にて圧着される。なお先端側の圧着有無は任意である。
重合部１５ａの親指部１３ｃと本体部１１の親指部１３ｂとの圧着により、両部材間に袋空間１３ｄが形成される。この袋空間１３ｄは開放端部１３ａにて後方側へ開放され、親指の少なくとも先端を容易に差し込み可能な程度の大きさに設定されている。
【００５９】
これにより、重合部１５ａの親指部１３ｃと本体部１１の親指部１３ｂとで親指袋部１３が形成されている。隣接する親指袋部１３と４指袋部１４との間は結合部１６で閉じられることにより、親指袋部１３が４指袋部１４から独立したものとなっている。
【００６０】
破断容易部１７は、予め左右の親指袋部１３における４指袋部１４との境界部にそれぞれ設けられている（図２のＡ参照）。
この破断容易部１７は先端側から後方へ向かって直線状に形成されたミシン目により形成される。この破断容易部１７を設けることにより、グリップ時に使用する親指袋部１３と４指袋部１４の境界部に分離部１８を容易に設けて、親指袋部１３の動きを容易にする。
【００６１】
図４のＢは、Ａの一部を変更した変型例を示す部分平面図である。この例では、左右の親指袋部１３近傍部には、破断容易部１７でなく分離部１８が設けられている。このようにすると、左右いずれの手を用いる場合でも、破断容易部１７を破断して分離部１８を設ける必要がなく、直ちに親指袋部１３のスムーズな動きを可能にすることができる。
【００６２】
図３に示すように、袋空間１４ｄの高さは先端側から後方へ向かって次第に増加するように変化し、開放端部１４ａでの高さが最大となっている。これは指の太さの変化に対応し、指の太さよりも袋空間１４ｄの高さを高くして指との間に十分大きな間隙を設けたものであり、各指先部は、袋空間１４ｄ内において比較的自由な動きが許容されている。
【００６３】
また、４指袋部１４は開放端部１４ａにおいて開口し、ここで後方へ向かって開放されている。この開口の大きさは、この部分における指先よりも大きくなっている。
ここで指先より大きいとは、開口面積が、この部分における指先の断面積より大きいことであり、差し込まれる指先が複数の場合は、各断面積の合計よりも開口面積が大きいことである。
【００６４】
このようにすると、４指４Ｆの指先を抵抗なくスムースに差し込みや抜き出しができる。
したがって、４指袋部１４は４指４Ｆを揃えた状態で余裕をもって差し込みや抜き出しができるようになっている。
【００６５】
なお、親指袋部１３の袋空間１３ｄも同様であり、親指の指先が余裕を持って差し込まれ、かつ内部で比較的自由に動けるようになっている。
また、開放端部１３ａを開口縁部とする開口が形成されており、この開口の大きさも親指の指先より大きく形成され、親指の差し込みや抜き出しが容易になるように設定されている。
したがって、親指袋部１３も親指３の指先を差し込み及び抜き出すことを容易かつ迅速にできるようになっている。
【００６６】
次に、ハンドカバー１０によるグリップ９の被覆について説明する。
図４は手１へハンドカバー１０を装着した状態でグリップ９を握った状態を示す図である。Ａはグリップ９を握った状態の手１を甲側から示す図、Ｂは反対側から一部を示す図である。
【００６７】
Ａに示すように、この例のグリップ９は略三角リング状をなし、その底辺相当部が水平な下部９ａをなし、ここがハンドカバー１０の中央部へ重なり、親指３の股部３ｃの上を通っている。ハンドカバー１０を装着した手１でグリップ９の下部９ａを握ることにより、ハンドカバー１０を介して下部９ａが把持される。
Ｂに示すように、手１の内側にてハンドカバー１０が下部９ａに対してその外周を巻くように重なる。なおＢにおける親指３は握り位置に回動している状態である。
【００６８】
このグリップ９の握りに先だって、ハンドカバー１０を装着した手１をグリップ９へ接近させるとき、ハンドカバー１０は指先に係止された袋部１５を介して、安定して支持されているので、先端部が垂れて折り曲がるような不都合が生じず、ハンドカバー１０の不都合な変形に邪魔されることなく速やかにグリップを握ることができる。このためハンドカバー１０の本体部１１でグリップの周囲を迅速かつ正確に覆うことができる。
【００６９】
また、４指袋部１４は４指４Ｆの指先に係止され、親指袋部１３も親指３の指先に係止されているので、４指４Ｆ及び親指３の各指先部と一緒に曲がるようになり、上記不都合な変形を考慮せずに各指先部を曲げることができる。
【００７０】
図５は図４の５−５線に沿う断面図であり、４指４Ｆを下部９ａの外周上側に沿うように曲げることにより、下部９ａの上側には４指袋部１４が重なる。下部９ａの側部内側には本体部１１の手のひら部１２が重なる。また、親指３を手のひら２の上へ重なるように握り位置へ回動することで、下部９ａの下方から外側側方へは親指袋部１３が重なる。
これにより、グリップ９の下部９ａにおける外周部周囲はハンドカバー１０でくるまれ、手１の内側がグリップ９の下部９ａと接触しなくなる。
【００７１】
図６はハンドカバー１０の製法を示す。Ａは先述した当初のシート状素材１０ａを示す平面図、Ｂは重合部側の一部をカットする１次カットの工程を示す図、Ｃは重合部を折り曲げて本体部に重ねる折り曲げ工程を示す図、Ｄは重合部を本体部へ圧着しつつ、周囲を最終形状にカットする２次カットの工程を示す図である。
【００７２】
Ａに示す展開形状のシート状素材１０ａに対して、Ｂに示すように、重合部１５ａの開放端部１３ａ及び１４ａより先端側のハッチング部分を１次カットする。
次に、Ｃに示すように、重合部１５ａを折れ線１０ｂに沿って本体部１１の上へ折り返すとともに、左右方向を上方へ凸に湾曲させ、本体部１１の上へ重なる部分を本体部１１から上方へ離し、左右方向端部が本体部１１の親指部１３ｂ及び４指部１４ｂの左右端部と平面視で重なるようにする。
【００７３】
この状態で、Ｄに示すように、重合部１５ａの先端及び左右に沿って圧着して結合部１６を形成するとともに、周囲のハッチング部分を２次カットし、立体的なハンドカバー１０を形成する。
【００７４】
このとき、親指部１３ｃの左右も圧着し、親指部１３ｃの内側における結合部１６と、これに隣接する４指部１４ｃの左右方向における結合部１６を、間隔を持って略平行する略直線状に形成し、これら略平行する２直線の間に先端側から後方の開放端部１３ａに向かってミシン目の破断容易部１７を直線状に形成する。
【００７５】
なお、圧着による結合部１６の形成と破断容易部１７の形成は、２次カットをプレスカットとすることにより同時に形成できる。
このようにすると、平面的なシート状素材から、簡単なプレス加工により、連続して効率よく立体的なハンドカバー１０を製造でき、量産性に優れたものになる。
【００７６】
図７はハンドカバー１０を取り外す手順を説明する図である。このうち、図７のＡ〜Ｃはコンパクトに折りたたんで取り外す手順を説明する図である。図７のＤは折りたたまずにそのまま取り外す状態を説明する図である。
まず、折りたたんで取り外す場合について説明する。Ａはグリップからハンドカバー１０を離した状態の断面図であり、ハンドカバー１０は袋部１５へ指先を差し込んでいるため手１へ装着された状態を維持されるが、本体部１１のうち手のひら部１２の一部は手首８側が手１から離れて垂れ下がり、垂れ下がり部１２ａになる。
【００７７】
Ｂは、手のひら部１２の中間部にて表側を内側にして折り曲げ、垂れ下がった手首８側の端部を先端側へ重ねる状態を示す。この折り曲げは、本体部１１を４指４Ｆと親指の間に挟み、親指を手のひら２側へ近づけると、表側へ触ることなく容易に２つ折り状態になる。
【００７８】
Ｃは、４指袋部１４にて手のひら部１２の手首８側の端部を固定することを示す。上記Ｂの状態において、開放端部１４ａを持って４指袋部１４を矢示のように裏返すと、裏返った４指袋部１４が手のひら部１２の手首８側の端部上に重なり、本体部１１の先端部と手のひら部１２の手首８側の端部とが重なった状態で一体化される。
【００７９】
このとき、４指４Ｆの先端は４指袋部１４から外へ出ているため、ハンドカバー１０はそのまま廃棄可能になる。
しかも、取り外しと廃棄は、グリップにより汚染されている表面へ手１を触れずに、迅速かつ容易におこなわれる。また、４指袋部１４を有効に利用してコンパクトに折りたたんで廃棄できる。
【００８０】
なお、ハンドカバー１０の取り外しと廃棄は、上記のように折りたたまずに、より簡単かつ迅速にすることができる。
すなわち、図７のＡにおいて、各指及び手のひら２が一平面をなす状態（手１を平らにした状態）で手１を横にして手のひら２を下に向けると、手のひら部１２の一部は手首８側から下方へ折れ曲がり、ほぼ手のひら２の中央部乃至は４指の付け根近傍から下方へ垂れ下がった垂れ下がり部１２ａになる。
【００８１】
この状態からハンドカバー１０を手１から取り外すには、垂れ下がり部１２ａを手のひら２に面していた側（以下、手のひら側という）から指で摘み、そのまま指先側へ引っ張れば、ハンドカバー１０は、親指袋部１３及び４指袋部１４が各指の指先から抜け出し、容易かつ迅速に手１から取り外される。
このとき、垂れ下がり部１２ａは下方へ長く垂れ下がるため、容易に摘むことができるので取り外し作業が容易になる。
【００８２】
また、垂れ下がり部１２ａの手のひら２側の面を摘むことにより、手のひら部１２のうち、グリップに接触して汚染されている可能性がある表側面（手のひら２側と反対側の面）には接触しないため、汚染の可能性がある部分に接触することなく、安全に取り外しができる。
【００８３】
さらに、図７のＡに示す状態から、図７のＤに示すように指先を下に向け、平らにした手１を下方に向けると、すなわち手１の全体を下に向けると、親指３の指先が斜め下方を向き、かつ４指４Ｆの各指先が下に向くため、親指袋部１３及び４指袋部１４が指先から脱落し、ハンドカバー１０は自重により速やかに落下し、手１から取り外される。
【００８４】
そのうえ、この自然落下をごみ箱の上でさせれば、ハンドカバー１０を全く触れることなく、そのまま廃棄が可能になる。したがって、親指３及び４指４Ｆの指先の向きを下向きにするだけで他に何もせず、かつハンドカバー１０の表面に手を触れることなく簡単かつ迅速並びに汚染部との非接触により安全に取り外して廃棄ができる。
【００８５】
この自然落下のとき、手のひら部１２の手首８側が垂れ下がって垂れ下がり部１２ａになることにより、ハンドカバー１０は下方へ向かう力Ｗを受ける。そこで、手１の全体を下に向けると、垂れ下がり部１２ａは手のひら部１２の指側部分に対してより鋭角的に曲がるので、手１の傾斜方向に沿ってハンドカバー１０を下方へ向かわせる力Ｆがさらに大きくなり、ハンドカバー１０は親指袋部１３及び４指袋部１４が各指から脱落して自然落下し、矢示ａのように手１から取り外される。
【００８６】
したがって、手のひら部１２の垂れ下がり部１２ａを利用して、ハンドカバー１０が手１から自然落下で脱落することを促進でき、ハンドカバー１０の取り外しを確実かつ迅速にすることができる。
なお、このときの手のひら傾き程度は自由調整にできる。手のひら傾きと指の下方へ向けた曲がり程度を、個々に又は双方同時に調整することによって、自然落下の開始や速度をコントロールできる。
【００８７】
しかも、ハンドカバー１０を使い捨てにするため、その素材を比較的薄くして軽く曲がり易くしたとき、自然落下させようとしても、手１側にくっついて離れにくくなる場合がある。しかし、本願発明のように手のひら部１２の一部を手首８側から垂れ下がらせた垂れ下がり部１２ａにすると、このような手１側に対するくっつきを抑制し、確実に自然落下させるようにすることができる。
したがって、垂れ下がり部１２ａを形成するように素材を選定することはハンドカバーを使い捨てにするときにも効果的である。
【００８８】
次に、本実施例の作用を説明する。
ハンドカバー１０を手１へ取付けるには、図１に示すように、手１を本体部１１の上に置き、４指４Ｆの指先を４指袋部１４の中へ差し込み、同時に親指３を親指袋部１３の中へ差し込む。このとき、親指袋部１３及び４指袋部１４の袋状空間１３ｄ及び１４ｄ並びにそれぞれの開口は十分に大きく、それぞれの間口も十分に大きくなっているので、各指はスムーズに袋部１５内へ入ることができる。
これによりハンドカバー１０は４指袋部１４及び親指袋部１３を介して指先に支持された状態で手１へ装着される。その結果、ハンドカバー１０を迅速かつ容易に手１へ装着することができる。
【００８９】
４指袋部１４は、内部へ入った４指４Ｆの指先に係止される。このとき４指袋部１４は、内部の指先よりも大きく、これらを比較的自由に動ける状態にするにもかかわらず、指先に袋をかけて覆った状態であり、かつ指先の差し込み長さを比較的長くすることもあって、指先へ脱落することなく確実に支持される。また、親指袋部１３も同様に親指３の指先に係止される。
【００９０】
このため、指先を上に向けて手１を立てると、ハンドカバー１０は４指袋部１４及び親指袋部１３を介して指先に支持された状態で手１へ安定して装着される。しかも、ハンドカバー１０は各指先で係止されるので、グリップ９を握るとき、把持に先立って先端部が垂れて折れ曲がってしまう等の不都合を生じない。その結果、グリップ９を握れば、同時にハンドカバー１０がグリップ９を迅速かつ正確に覆うことができる。
【００９１】
ハンドカバー１０を手１から取り外すには、袋部１５の各指先に対する係止を解く。この場合、図７のＡに示すように、手１を横にして手のひら２を下に向けると、手のひら部１２の一部が手首８側から垂れ下がって垂れ下がり部１２ａをなすので、この垂れ下がり部１２ａを指先側へ引っ張ると、親指袋部１３と４指袋部１４が各指から抜け出し、係止を解いてハンドカバー１０が手１から取り外される。
【００９２】
このとき、垂れ下がり部１２ａの手のひら２側の面を摘めば、汚染された本体部１１の表面へ触れずに作業できる。また、手のひら部１２は予めバンド等で手首８へ固定されていないから、手首８側の固定を解除する手間が不要になる。
【００９３】
さらに、図７のＡに示す垂れ下がり部１２ａが形成された状態で、図７のＤに示すように手１の全体を下に向けると、ハンドカバー１０は自重により、親指袋部１３と４指袋部１４が各指から抜け出し、手１から脱落して自然落下する。このとき、垂れ下がり部１２ａはその垂れ下がった自重で、ハンドカバー１０を脱落させる方向に力を働かせ、ハンドカバー１０の脱落を促進し、確実に脱落させる。
【００９４】
しかも、このハンドカバー１０の取り外しに際して、ハンドカバー１０を装着していない他方の手は垂れ下がり部１２ａ等へ触ることなく、ハンドカバー１０を手１から取り外して廃棄可能になる。
また、図７のＡ〜Ｃに示すように、他方の手で触ることなく取り外し、折りたたんで廃棄できる。このとき垂れ下がり部１２ａは汚染された面へ触らずに折りたたむことに貢献する。
【００９５】
なお、ハンドカバー１０の自然落下による脱落は、指の開きによりコントロールできる。
すなわち、手１を下に向けた状態であっても、親指３及び４指４Ｆの間を大きく開くと、親指３及び４指４Ｆが親指袋部１３及び４指袋部１４の内部へ強く押しつけられるので、これがブレーキとなって、ハンドカバー１０の脱落が阻止される。親指３及び４指４Ｆの開きをなくし、双方の間隔を狭めると、親指３及び４指４Ｆの親指袋部１３及び４指袋部１４の内部に対する押しつけがなくなり、ハンドカバー１０は、各袋部が各指から脱落して速やかに自然落下する。
【００９６】
また、４指４Ｆは第２関節近傍まで比較的深く４指袋部１４の内部へ差し込まれるため、指先だけの係止（第１関節程度までの係止）と比べて、不用意な脱落をより確実に阻止することもできる。しかも、各指は第２関節近傍まで差し込まれるため、共用袋部内で指を大きく曲げることにより、指先の差込方向と直交し、かつ各指間で開閉する方向と異なる方向、すなわち図７における指の上下方向へ動かして、上下方向にて指を共用袋部内面と接触させることによってブレーキを調節することもできる。
【００９７】
このような自然落下のコントロールは、前述した手のひらの角度と指の曲げ程度を調節することと別に、共用袋部内において、各指の間隔を開閉調節したり、指の各関節部による曲げ、すなわち長さ方向における曲げ程度で調整できる。
この調節は、３指もしくは４指間における間隔調整や長さ方向の曲げによる場合と、親指３と４指４Ｆ等の他の指との開きを調整することによる場合とがある。いずれか一方又は双方を同時に採用することによって、ハンドカバーの自然落下をコントロールできる。
【００９８】
また、図６に示すように、袋部１５は本体部１１の先端部から延長形成された重合部１５ａを折り返して形成され、しかも１枚シート状素材１０ａから形成できるので、袋部１５の形成が容易である。そのうえ、重合部１５ａを本体部１１と重ねて圧着するので、周囲をプレスカットするとき一緒に圧着で結合させることができ、効率よくハンドカバー１０を製造できる。
【００９９】
さらに、図２に示すように、袋部１５を、左右一対の親指袋部１３と４指袋部１４とで構成するとともに、親指袋部１３と４指袋部１４を一度に効率よく設けることができ、かつ親指袋部１３を４指袋部１４と独立させて設けて、親指袋部１３を独自に動きやすくすることができる。
また、親指袋部１３を左右一対で設けることにより、左手と右手の共用を可能にする。
【０１００】
次に、本実施例の効果を説明する。
図１〜５に示すように、ハンドカバー１０は、指先の差し込み方向へ向かって指先より大きく開口している袋部１５を備えるので、この袋部１５へ指先をスムーズに差し込むことができ、袋部１５を指先に係止させることができる。これにより、ハンドカバー１０を容易かつ迅速に手１へ装着できる。
また、袋部１５が指先に係止されることにより、ハンドカバー１０の装着は安定したものになる。このため、グリップ９を握り、ハンドカバー１０で迅速かつ正確にグリップ９を覆うことができる。
【０１０１】
さらに、本体部１１は手１の内側全体を覆うので、グリップ時には、本体部１１により手のひら２のみならず指もグリップ９へ接触させないようにでき、グリップ９からの手１への汚染を防止できる。
【０１０２】
グリップ９の握りを解いてハンドカバー１０を手１から取り外すときは、図７のＤに示すように、垂れ下がり部１２ａの形成と相まって、指先を下方へ向けるだけで、ハンドカバー１０を手１から速やかに脱落させ、ハンドカバー１０に触ることなく直ちに廃棄できる。
したがって、ハンドカバー１０の取り外しを容易かつ迅速にできるようにするとともに、汚染された本体部１１の表面へ手１を触れずに取り外すことができ、より確実な汚染防止を実現できる。
【０１０３】
このとき、図７のＡ〜Ｃに示すように、汚染された本体部１１の表面へ手１を触れることなく、袋部１５を利用してコンパクトに折りたたんで簡単かつ迅速に取り外すことができ、その後直ちにかつ容易に廃棄することもできる。この場合、図７のＡに示すように、手１を横にして手のひら２を下に向けると、手のひら部１２の一部が手首８側から垂れ下がって垂れ下がり部１２ａをなすので、この部分の手のひら２側の面を押すことにより、汚染された本体部の表面へ触れずに折りたたむことができる。
【０１０４】
また、ハンドカバー１０を折りたたまずに廃棄することもできる。この場合は、図７のＡにおいて、垂れ下がり部１２ａの手のひら２側の面を摘んで垂れ下がり部１２ａを指先側へ引っ張ると、汚染された本体部１１の表面へ触れずにハンドカバー１０が手１から取り外される。したがって、垂れ下がり部１２ａを利用して、ハンドカバー１０を汚染面に触わることなく、容易かつ迅速に取り外して廃棄できる。しかも、手のひら部１２は予めバンド等で手首８へ固定されていないから、手首８側の固定を解除する手間がなく、ハンドカバー１０の取り外しがより迅速になる。
【０１０５】
さらに、垂れ下がり部１２ａに触ることなく、ハンドカバー１０を自重による自然落下させることにより、手１を汚すことなく迅速に廃棄することもできる。この場合、図７のＡに示す垂れ下がり部１２ａが形成された状態で、図７のＤに示すように手１の全体を下に向けると、親指袋部１３と４指袋部１４が各指から抜け出し、ハンドカバー１０は手１から脱落して自然落下するので、垂れ下がり部１２ａに触ることなくハンドカバー１０を手１から取り外して廃棄できる。このとき垂れ下がり部１２ａはその垂れ下がった自重で、ハンドカバー１０を脱落させる方向に力を働かせるので、ハンドカバー１０の脱落を促進し、確実に脱落させる。
【０１０６】
しかも、使い捨て用等の目的で、ハンドカバーを薄く軽量で曲がりやすい素材から形成され、袋部１５や本体部１１が指先や手のひら２に絡んでくっつきやすくなっていても、垂れ下がり部１２ａの脱落促進作用で、より確実かつ迅速に脱落させることができるため、使い捨て用のハンドカバーに適したものになる。
【０１０７】
また、手を下に向けた状態において、共用袋部内で各指の間隔を開閉調節することや、指の曲げ程度により、もしくは、親指３と４指４Ｆ等の他の指との開きを調整することにより、ハンドカバーの自然落下をコントロールすることができる。したがって、自然落下が容易な構成にしても、これらのコントロールにより、不用意なタイミングでの自然落下を阻止できる。
【０１０８】
また、袋部１５に、親指以外の４指４Ｆの少なくとも一部指先を差し込む４指袋部１４を備えることにより、４指４Ｆの指先を４指袋部１４へ差し込むことで、ハンドカバー１０を安定して装着でき、グリップ時においてもハンドカバー１０を扱いやすく、４指４Ｆに追随して折り曲げ易くすることができ、グリップを迅速かつ正確に覆うことができる。
【０１０９】
さらに、袋部１５が４指袋部１４に加えて、親指を差し込む親指袋部１３を備えると、動きの異なる親指と４指４Ｆとの機能差に合わせ、４指袋部１４及び親指袋部１３を動かすことができるので、グリップを容易にすることができる。
特に、親指袋部１３を設けることにより、グリップ９と接触し易い親指３を袋状に覆って保護し、グリップ９と接触させないようにすることができる。
【０１１０】
また、４指袋部１４を挟んで親指袋部１３を左右一対で備えると、左右いずれの手を用いても、４指４Ｆを共通の４指袋部１４へ差し込むとともに、親指３を左右いずれかの親指袋部１３へ差し込むことができるので、同じハンドカバー１０を右手と左手で共用できるようになる。
【０１１１】
さらに、左右の親指袋部１３と４指袋部１４との間にそれぞれ破断容易部１７を設けると、左右どちら側でも、破断容易部１７を破断して分離部１８を容易に形成でき、親指袋部１３の４指袋部１４に対する独立した動きを容易にする。
【０１１２】
このとき、使用しない親指袋部１３側の破断容易部１７をそのままとすれば、使用しない親指袋部１３を４指袋部１４に連結して、不用意の動きを防止できる。
一方、使用しない親指袋部１３側の破断容易部１７は破断して分離部１８とすることにより、４指袋部１４と独立して動かし易くする。
このため、左右いずれの手でもハンドカバー１０の確実な使用を可能にする。
【０１１３】
さらに、グリップ時における親指３と４指４Ｆの動きが異なるが、親指が差し込まれた親指袋部１３と４指袋部１４との間に分離部１８を形成すると、親指袋部１３が４指袋部１４と独立して動くことを可能にする。このため、親指と４指４Ｆとの機能差に合わせて親指袋部１３を動かしてグリップを一層容易にすることができる。
【０１１４】
また、袋部１５が、本体部１１の先端部を覆い、本体部１１との間に袋部空間１４ｄを形成する重合部１５ａを備え、この重合部１５ａを本体部１１と圧着により結合すると、全体の外形等をプレスカットするとき、一緒に圧着結合できるので、袋部１５を容易に形成でき、ハンドカバーの製造を効率化することができる。
【０１１５】
このとき、重合部１５ａが本体部１１の先端を延長して形成され、本体部１１の先端にて折り返されて本体部１１の上に重なるようにすると、平面状のシート素材１０ａから容易に形成することができ、量産性を高めることができる。
【０１１６】
図８は第２実施例に係るハンドカバー１０Ａの平面図を示す。
このハンドカバー１０Ａは、第１実施例に係る図２に示すハンドカバー１０から親指袋部１３を排除したものに相当する。すなわち、重合部１５ａＡは左右の親指部１３ｃを備えず、４指部１４ｃのみであり、その結果、袋部１５Ａは４指袋部１４のみとなる。
親指３は本体部１１の親指部１３ｂの上に重なるだけであり、親指３は袋部を係止していない。
【０１１７】
このようにしても、袋部１５Ａとして４指袋部１４があり、ここへ４指４Ｆの指先を差し込むことにより、ハンドカバー１０Ａを手１に対して迅速に着脱でき、前記第１実施例と同様の効果を奏することができる。
なお、親指３は親指袋部に入らず本体部１１の上に露出することになるが、手のひら部１２の一部を親指部１３ｂの大きさに拡張した親指部１３ｂに重なるので、グリップ時に親指３は親指部１３ｂにより覆われ、グリップとの接触を回避できる。
【０１１８】
図９は第３実施例に係るハンドカバー１０Ｂの平面図を示す。
このハンドカバー１０Ｂは、上記第２実施例に係るハンドカバー１０Ａから左右いずれか一方の親指部１３ｂを削除したものに相当する。図示のものは、右側の親指部１３ｂを削除したことにより、右手専用にしたものである。なお、左側の親指部１３ｂを削除すれば左手専用のものになる。このようにすると、右手及び左手共用にすることはできないが、比較的小型にした簡易なものにすることができる。
【０１１９】
なお、図２のハンドカバー１０から左右いずれか一方の親指袋部１３を削除することもできる。この場合は、袋部として４指袋部１４と左右いずれか一方の親指袋部１３を有する右手又は左手専用のものとすることができる。
また、４指袋部１４内にて４指の開きを調整したり、長さ方向における曲げを大きくすることにより、４指袋部１４が自然落下で脱落するタイミングをコントロールできることは、前実施例と同じである。
【０１２０】
図１０のＡ及びＢは第４実施例に係るハンドカバー１０Ｃの平面図を示す。ＡとＢに示すハンドカバー１０Ｃは同じであり、Ａは右手で使用する状態、Ｂは左手で使用する状態を示す。
このハンドカバー１０Ｃは袋部１５Ｃが、親指３と４指４Ｆの各指先部を単一の袋空間内へ一緒に差し込める幅を有する単一のものになっている。したがって全体が一つの共用袋部をなし、他に独立した４指袋部と左右の親指袋部が存在しない。
【０１２１】
袋部１５Ｃの横幅は、開いた状態の親指３と４指４Ｆを一緒にして収容できる寸法になっており、袋部１５Ｃの開口幅も袋部１５Ｃの横幅とほぼ一致する程度に大きなものになっている。
各指先部は、袋部１５Ｃ内にて、上下方向及び横幅方向のいずれにも比較的自由に動き得る遊嵌状態になっている。特に、各指の相互間隔を大きくしたり小さくするようにでき、相互間隔を大きく開くと、各指と袋部１５Ｃとの摩擦が大きくなり、袋部１５Ｃが自然落下で各指の指先から脱落しにくくなる。
【０１２２】
なお、袋部１５Ｃの横幅が大きくなっているが、親指３が一緒に収容されていることにより、親指３と他の４指との間の開きを大きくしたり、各指を長さ方向にて大きく曲げることや４指間の間隔を大きく開くことによって、袋部１５Ｃ内との摩擦を大きくすることができる。特に、親指３と他の４指との開きを大きくすると、摩擦を大きくでき、この開き具合で自然落下の開始タイミングをコントロールし易くなる。
このとき、少なくとも親指３と小指７を除く他３指が第２関節近傍まで深く差し込まれていることにより、袋部１５Ｃ内で長さ方向の曲げを大きくして自然落下をコントロールし易くすることは前述した実施例と同じである。
【０１２３】
このハンドカバー１０Ｃは中心線ＣＬに対して左右対称に形成され、右手及び左手共用である。すなわち、Ａに示すように、中心線ＣＬに対して、右手における４指４Ｆの中心（すなわち中指５と薬指６の間）を右側に偏らせれば、右手用として袋部１５Ｃへ親指３と４指４Ｆを収容して使用できる。符号１５ｂは袋部１５Ｃを構成する重合部１５ａＣの開放端部である。開放端部１５ｂは湾曲した曲線状をなし、４指４Ｆの付け根となる手のひらの上部及び親指３の上に重なる位置に形成されている。
【０１２４】
また、Ｂに示すように、中心線ＣＬに対して、左手における４指４Ｆの中心を左側に偏らせれば、左手用として袋部１５Ｃへ親指３と４指４Ｆを収容して使用できる。
このようにすれば、袋部の構造をより簡単にして左手及び右手で共通使用できる簡便なハンドカバーを形成できる。
【０１２５】
図中の仮想線１５ｃは、開放端部１５ｂと異なる位置に設けられた開放端部であって、親指３に重ならないように開放端部１５ｂに対してより先端側に移動して設けられたものを示す。開放端部を１５ｃのようにすると、図８に示す第２実施例のように、袋部が親指袋部に相当する部分を備えず、４指袋部のみを有する形式になる。
【０１２６】
図１０のＣは第５実施例に係るハンドカバー１０Ｄの平面図である。複数指共用の共用袋部は、４指を同時に収容するものだけでなく、３指もしくは２指を収容するものでもよい。
本例のハンドカバー１０Ｄは、このような共用袋部を有するものであり、図９に示したハンドカバー１０Ｃに対して、４指袋部１４に代えて３指共用の袋部１５Ｄとし、小指７を袋部に収容せず、かつ親指袋部１３Ｄを設けた、左手専用に形成されている。右手用は図示のものと対掌形状になる。
【０１２７】
本例の袋部１５Ｄが、人差し指４、中指５及び薬指６からなる３指３Ｆを収容する複数指共用の共用袋部になっている。この袋部１５Ｄには、人差し指４、中指５及び薬指６の各指が第２関節近傍まで収容され、各指は袋部１５Ｄ内にて、相互間隔を大きくしたり小さくするよう、自在に動き得るようになっている。相互間隔を大きく開くと、各指と袋部１５Ｄとの摩擦が大きくなり、袋部１５Ｄが自然落下で３指の指先から脱落しにくくなる。
小指７は袋部１５Ｄに収容されず、本体部１１上に重なっている。ただし、小指７を袋部１５Ｄに収容することは自由である。
【０１２８】
また、人差し指４と中指５を収容する２指用袋部と、薬指６及び小指７を収容する２指用袋部を独立して２つ設けてもよい。
親指袋部１３Ｄは、袋部１５Ｄから明確に分離されて独立的に形成されている。ただし、図９のように破断容易部１７で連結するようにしてもよい。
【０１２９】
なお、本願発明は上記の各実施例に限定されるものではなく、発明の原理内において種々に変形や応用が可能である。
例えば、グリップは、吊り輪や階段の手すりなど手で握って姿勢を保持するための部材のみならず、自動車やオートバイ等の乗り物のハンドル、ショッピングカートやキャリヤカート、ショッピング用かご、各種バッグ及びトランク等の運搬用具の握り部、さらにはドアノブなどがある。要は手で握る各種の部材を含む。
【０１３０】
また、グリップはリング状等の曲線をなすものや、直線的なものも含む。
グリップの他の一例として食事の際に用いる各種食器や道具類として、トング、ナイフ、フォーク、スプーン、レードルさらにサーバー（各種飲料サーバー、ピッチャー）などがある。これらは、ビュッフェやバイキング形式などの多人数が会食する際に不特定多数が握るものであるため、本願発明のハンドカバーを用いることによりグリップからの汚染の伝搬を手軽かつ効果的に防ぐことができる。
【０１３１】
なお、グリップとしては、これら食器や道具類に限らず、手づかみする焼き肉ブロックなど、食品自体であってもよい。この場合は、汚れでなく食品自体の表面が付着することを防ぐことになる。
【０１３２】
本体部１１はシート状に限らず、例えば、指と一緒に折り曲げ自在であり、かつ手をほぼ水平に横置きし、手のひら２を下に向けたとき、手のひら部２が手首８側から垂れ下がるように折れ曲がる程度の柔軟なものであれば、ある程度の厚み（例えば、数ｍｍ〜数ｃｍ程度の厚み）がある素材でもよい。素材は厚くなる程腰を弱くして曲がりやすくする配慮が必要になる。
【０１３３】
このような素材は、紙などの天然素材やゴム及び各種樹脂材料などが可能である。
また素材をスポンジにすれば、軽量かつ肌触りが良好で使用感に優れたものになる。なお、このスポンジ材料も種々な樹脂材料が可能である。
さらには、非通気性のフィルムやシートにすれば、薄くても細菌等の通り抜けをより確実に阻止できる。
また、使い捨てに適するよう、薄くかつ軽量で安価な素材を用いることが好ましい。この場合は、例えば、厚さが、０．数ｍｍ〜数ｍｍ程度の不織布が好適である。
【０１３４】
なお、手のひら部１２だけを折れ曲がり易くなるよう薄い素材に変更してもよい。
また、本体部１１を比較的厚くした場合であっても、柔軟で指と一緒に折り曲げ自在であるため、グリップに対する握りが容易であるとともに、所定の厚さにすることより手の汚染可能性を可及的に少なくすることができる。
【０１３５】
共用袋部に差し込まれる指は、４指同時でなく、少なくともその一部だけでもよい。また、差し込まれる指の先端部の長さは、手１に対して安定して装着できる長さであれば足り、第２関節近傍までの長さであれば自由である。
【０１３６】
また、重合部１５ａは本体部１１と別体の部材でもよい。例えば、本体部１１と別素材を所定形状に形成したものを用意し、これを本体部１１上に重ねて結合一体化してもよい。この場合には、重合部１５ａの形状の自由度を大きくしたり、本体部１１と異なる強度等の特性を有するものにして、耐久性や軽量化を図る等が可能になる。
さらには、合成樹脂により、本体部１１と袋部１５を連続一体に成形したものでもよい。
【符号の説明】
【０１３７】
１：手  ２：手のひら  ３：親指  ４Ｆ：４指  ５：中指  ９：グリップ  １０：ハンドカバー  １１：本体部  １２：手のひら部  １２ａ：垂れ下がり部、１３：親指袋部  １４：４指袋部  １５：袋部  １６：結合部  １７：破断容易部  １８：分離部  
【要約】
【課題】手に対して容易かつ迅速に脱着できるようにする。
【解決手段】ハンドカバー１０は、シート状をなして手１の内側全体覆う本体部１１と、この先端側に設けられる袋部１５を有する。袋部１５は親指の差し込まれる親指袋部１３と親指以外の４指４Ｆの指先が差し込まれる４指袋部１４を有する。親指を親指袋部１３へ差し込み、４指４Ｆの指先を４指袋部１４へ差し込むと、ハンドカバー１０は容易かつ迅速に手１１へ装着される。本体部１１は手１のひら部１２を備え、手１を横にして手のひら２を下に向けると、手のひら部１２は手首８側から垂れ下がる。そこで指先を下に向ければ、ハンドカバー１０は垂れ下がり部１２ａの重さも加わって自然落下し、手１から取り外される。その結果、汚染されたハンドカバー１０の表面へ触ることなく、ハンドカバー１０を手１から容易かつ迅速にまたより確実に脱落させて廃棄することができる。
【選択図】  図７【図１】
0006842596.tif 000002
【図２】
0006842596.tif 000003
【図３】
0006842596.tif 000004
【図４】
0006842596.tif 000005
【図５】
0006842596.tif 000006
【図６】
0006842596.tif 000007
【図７】
0006842596.tif 000008
【図８】
0006842596.tif 000009
【図９】
0006842596.tif 000010
【図１０】
0006842596.tif 000011
【図１１】
0006842596.tif 000012
【図１２】
0006842596.tif 000013